(57)【要約】      （修正有）【課題】昇降操作が任意の位置で停止可能な表示デバイス用表示デバイス昇降設置フレームを提供する。【解決手段】内枠フレーム１０、表示デバイスを懸架する外枠フレーム２０、サポート補正機構３０から構成され、内枠フレーム１０にはメインサポートバネ２２を設けて該メインサポートバネ上下端をそれぞれ内枠フレーム１０上辺枠柱１１と外枠フレーム２０下辺枠柱２１に固定し、外枠フレーム２０は内枠フレーム１０外側に嵌めて昇降可能とし、外枠フレーム２０上辺枠柱１１に平行リンクを構成するサポート補正機構３０上端を結合し、サポートプル棒２５を外枠フレーム２０上辺枠柱１１に固定してサポート補正機構３０を挿通し、下方から上下操作可能とする。サポートプル棒２５を操作して外枠フレーム２０を上下させると、サポート補正機構３０のバネとメインサポートバネ２２に支持されて表示デバイスを任意の位置で停止した状態とすることができる。【選択図】図１
0003207712.tif 000002
【実用新案登録請求の範囲】
【請求項１】
任意の位置に停止可能な表示デバイス昇降設置フレームであって、
内枠フレーム、表示デバイスを支持する外枠フレーム、サポート補正機構を備え、
前記内枠フレームは、複数の枠柱により構成され、
該内枠フレームに左右対称に２個の第一カム板と第二カム板を設置し、
該第一カム板と該第二カム板の上下側には、それぞれ凹部を設けると共にそれらの間に凸状の曲線を形成し、
該内枠フレーム左、右両側には、定位溝をそれぞれ設けると共に、該内枠フレーム左、右両側の外側端下方には、スライドレールキャスターをそれぞれ枢設し、
前記外枠フレームは、複数の枠柱により構成され、
該外枠フレームは、該内枠フレーム外側に嵌めて設置され、
該外枠フレーム内側には、２個のメインサポートバネを設けてそれらの頂端を該内枠フレームの上側に枢接し、
該外枠フレーム左、右側の内側上方端には、スライドレールキャスターをそれぞれ枢設して、該スライドレールキャスターを前記内枠フレームの定位溝中に進入して配置して該内枠フレームに設けた定位溝の壁面に接触させ、さらに該外枠フレーム左、右両側には、定位溝をそれぞれ設けて、該定位溝内に前記内枠フレームに設けたスライドレールキャスターを挿入して配置することにより、該内枠フレームのスライドレールキャスターを該外枠フレームに設けた定位溝の壁面に接触させ、
これらの構成により該内枠フレーム外側に嵌めて設置された該外枠フレームを、該内枠フレーム外側で上下にスライド移動可能とし、
前記サポート補正機構は、バネ台を備えて該バネ台上に２個のサブサポートバネを設けてその頂端を前記内枠フレームの上側に枢接し、該内枠フレーム内側に設置して、前記内枠フレームの第一カム板、第二カム板間に配置させ、
前記バネ台上に、第一連棒と第二連棒を枢接して結合し、該第一連棒頂端には、第三連棒を枢接し、該第二連棒頂端には、第四連棒を枢接し、該第三連棒と該第四連棒の頂端は、相互に枢接して結合し、これにより該第一連棒、該第二連棒、該第三連棒、該第四連棒は、四連棒平行リンクユニットを形成し、且つ、該第一連棒と該第三連棒の枢接端には、第一ローラーを設置し、該第二連棒と該第四連棒の枢接端には、第二ローラーを設置し、これら第一ローラー及び第二ローラーを、それぞれ前記内枠フレームの第一及び第二カム板の凹部間の凸状の曲線部に沿って追従するカムローラーとして動作させると共に、該凹部を上下移動のストッパーとし、
前記外枠フレーム上側の枠柱上にサポートプル棒を結合し、前記該バネ台を通して設置して該外枠フレームを上下操作可能とし、
さらに、前記第三連棒と第四連棒の頂端を、該外枠フレームのサポートプル棒に枢接して結合し、
これにより該サポート補正機構は、該外枠フレームの上下移動に従って同時に上下移動し、且つ、前記第一ローラーと第二ローラーとは、前記第一カム板と該第二カム板の曲線に沿ってそれぞれローラー移動することにより、
表示デバイスを懸架した外枠フレームを前記メインサポートバネ及びサブサポートバネにより支持させて、任意の位置に停止可能としたことを特徴とする任意の位置に停止可能な表示デバイス昇降設置フレーム。
【考案の詳細な説明】
【技術分野】
【０００１】
本考案は、任意の位置に停止可能な表示デバイス昇降設置フレームに関し、特に表示デバイスの設置に用い、コンパクトで、昇降操作が便利な任意の位置に停止可能な表示デバイス昇降設置フレームに関する。
【背景技術】
【０００２】
表示デバイス（ディスプレイ、白板、黒板、或いは他の平面式電子製品など）は、設置の安定性と利便性を提供するため、多くは設置キャビネットを用いて設置し、或いはハンギングアーム、サポートアームを用いて表示デバイスを吊り下げ、使用の利便性を達成する。
しかし、これらの設置キャビネットは、表示デバイスの上、下に移動、操作して視聴位置を調整することはできず、ハンギングアーム、サポートアームでは、比較的広いスペースがなければ、上、下に高さを調整することはできない。
よって、設置キャビネットを利用しようと、ハンギングアーム或いはサポートアームを利用しようと、表示デバイスの設置においては、使用及び操作において不便である。
【０００３】
上述の欠点を解決するため、申請人は特許文献１に開示する昇降式サポートフレームを開発した。
該昇降式サポートフレームは、脚フレームを備え、該脚フレーム上には、牽引機構とフック可動機構を設置する。
該牽引機構は主に、牽引盤、プーリー、バネにより構成される。
また、該牽引盤上には、渦巻き部を設置する。
該フック可動機構には、表示デバイスを置くことができ、該フック可動機構は、牽引ワイヤーを備える。
該牽引ワイヤーは、牽引機構の牽引盤とプーリーに巻き付けて設置してバネと枢接する。
これにより、表示デバイスの昇降を操作すると、牽引盤の回転を駆動し、バネを引き動かして力平衡状態を形成し、無段階に任意の位置に停止の効果を達成する。
【０００４】
上述の昇降式サポートフレームは、無段階昇降任意の位置に停止の効果を備えるが、脚フレーム、牽引機構、フック可動機構は、構成部材と構造が複雑なため、組み立て時には、少なくとも２人いなければ完成させることはできない。
同時に、該牽引盤後側には、渦巻き部を突出状に設置するため、該昇降式サポートフレームの体積が比較的大きく、側面から見ると、非常に厚く見える。
よって、壁に設置できず、使用上の不便と制限になっている。
本考案は、従来の昇降式サポートフレームの上記した欠点に鑑みてなされたものである。
【先行技術文献】
【特許文献】
【０００５】
【特許文献１】台湾特許公告第Ｍ４６２５４９号明細書
【特許文献１】特開２０１４−８３１９８号公報
【考案の概要】
【考案が解決しようとする課題】
【０００６】
本考案が解決しようとする課題は、従来の昇降サポートフレームが有する欠点を解決でき、コンパクトで、昇降操作が便利で、しかも任意の位置に停止可能な表示デバイス昇降設置フレームを提供することである。
【課題を解決するための手段】
【０００７】
上記課題を解決するため、本考案は下記の任意の位置に停止可能な表示デバイス昇降設置フレームを提供する。
【考案の効果】
【０００８】
本考案の任意の位置に停止可能な表示デバイス昇降設置フレームは、従来の昇降サポートフレームが有する欠点を解決でき、コンパクトで、昇降操作が便利で、しかも任意の位置に停止可能である。
【図面の簡単な説明】
【０００９】
【図１】本考案の立体分解図である。
【図２】本考案の立体組合せ図である。
【図３】本考案の前視図である。
【図４】本考案の前視図、及び外枠フレームが下方へと移動する様子を示す模式図（一）である。
【図５】本考案前視図、及び外枠フレームが下方へと移動する様子を示す模式図（二）である。
【図６】本考案の前視図、及び外枠フレームが下方へと移動し最低点に至る様子を示す模式図である。
【図７】本考案の立体組合せ図、及び外枠フレームが下方へと移動し最低点に至る様子を示す模式図である。
【考案を実施するための形態】
【００１０】
以下に図面を参照しながら本考案を実施するための最良の形態について詳細に説明する。
【実施例】
【００１１】
図１に示すように、本実施形態による任意の位置に停止可能な表示デバイス昇降設置フレームは、内枠フレーム１０、外枠フレーム２０とサポート補正機構３０を備える。
【００１２】
該内枠フレーム１０（図２、３を同時に参照）は、複数の枠柱１１により構成される。
【００１３】
該内枠フレーム１０には、左右対称に２個の第一カム板１２Ａと第二カム板１２Ｂを設置する。
【００１４】
該第一カム板１２Ａと該第二カム板１２Ｂの上側と下側には、凹部１２１、１２２をそれぞれ設置する。
【００１５】
該第一カム板１２Ａと該第二カム板１２Ｂの中段には、凸部１２３を設け、これにより該第一カム板１２Ａと該第二カム板１２Ｂは、曲線状を形成する。
【００１６】
また、該内枠フレーム１０左、右両側の枠柱１１には、定位溝１３をそれぞれ設け、且つ、該内枠フレーム１０左、右両側の外側端下方には、スライドレールキャスター１４をそれぞれ枢設する。
【００１７】
該外枠フレーム２０（図２、３を同時に参照）は、複数の枠柱１１により構成される。
【００１８】
該外枠フレーム２０は、前記内枠フレーム１０外側に嵌めて設置され、該外枠フレーム２０内には、２個のメインサポートバネ２２を設置し、該２個のメインサポートバネ２２の頂端は、該内枠フレーム１０の上側に枢接される。
【００１９】
また、該外枠フレーム２０左、右側枠柱２１の内側端上方には、スライドレールキャスター２３をそれぞれ枢設し、該スライドレールキャスター２３は、該内枠フレーム１０の定位溝１３中に進入して設置され、且つ、該内枠フレーム１０に設置される定位溝１３の壁面に接触する。
【００２０】
さらに、該外枠フレーム２０左、右両側には、定位溝２４をそれぞれ設置する。
【００２１】
該定位溝２４内には、該内枠フレーム１０に設置されるスライドレールキャスター１４を挿入して設置され、これにより該内枠フレーム１０のスライドレールキャスター１４は、該外枠フレーム２０に設置される定位溝２４の壁面に接触し、こうして該外枠フレーム２０は、該内枠フレーム１０外側で上下にスライド移動する。
【００２２】
さらに、該外枠フレーム２０の底部の枠柱２１上には、サポートプル棒２５を枢設する。
【００２３】
該サポート補正機構３０（図２、３を同時に参照）は、バネ台３１を備える。
【００２４】
該バネ台３１上には、２個のサブサポートバネ３２を設置する。
【００２５】
該２個のサブサポートバネ３２の頂端は、該内枠フレーム１０の上側に枢接され、これにより該サポート補正機構３０は、該内枠フレーム１０内側に設置され、該内枠フレーム１０の第一カム板１２Ａ、第二カム板１２Ｂ間に設置される。
【００２６】
また、該バネ台３１上には、第一連棒３３１と第二連棒３３２を枢接し結合する。
【００２７】
該第一連棒３３１頂端には、第三連棒３３３を枢接し、該第二連棒３３２頂端には、第四連棒３３４を枢接する。
【００２８】
該第三連棒３３３と該第四連棒３３４の頂端は、相互に枢接して結合し、これにより該第一連棒３３１、該第二連棒３３２、該第三連棒３３３、該第四連棒３３４は、四連棒平行リンクユニットを形成する。
【００２９】
さらに、該第一連棒３３１と該第三連棒３３３の枢接端には、第一ローラー３４１を設置し、該第二連棒３３２と該第四連棒３３４の枢接端には、第二ローラー３４２を設置する。
【００３０】
これにより、該第一ローラー３４１は、該内枠フレーム１０の第一カム板１２Ａに接触し、該第二ローラー３４２は、該内枠フレーム１０の第二カム板１２Ｂに接触する。
【００３１】
さらに、該バネ台３１上には、該外枠フレーム２０のサポートプル棒２５を通して設置する。
【００３２】
また、さらに該第三連棒３３３と該第四連棒３３４とは、該外枠フレーム２０のサポートプル棒２５頂端に結合し、これにより、該サポート補正機構３０は、該外枠フレーム２０の上下移動に従い、同時に上下移動する。
【００３３】
さらに、該第一ローラー３４１と該第二ローラー３４２とは、該第一カム板１２Ａと該第二カム板１２Ｂ上でそれぞれローラー移動する。
【００３４】
図２、３に示すように、該外枠フレーム２０は、該内枠フレーム１０外側に嵌めて設置され、かつ該内枠フレーム１０に設置されるスライドレールキャスター１４は、該外枠フレーム２０の定位溝２４中に設置され、該外枠フレーム２０のスライドレールキャスター２３は、該内枠フレーム１０の定位溝１３中に設置されるため、該内枠フレーム１０と該外枠フレーム２０とは相互に係合定位され、こうして該外枠フレーム２０は直線昇降をガイドされて該内枠フレーム１０の外側で上、下に移動する。
【００３５】
使用者が表示デバイス（図示なし）を該外枠フレーム２０に懸架して設置すると、表示デバイスと該外枠フレーム２０は使用者の操作に従い同時に昇降移動する。
【００３６】
該外枠フレーム２０が最高位置にある時（図２、３参照）には、該サポート補正機構３０に設置される第一ローラー３４１と第二ローラー３４２とは、該第一カム板１２Ａと該第二カム板１２Ｂ上側の凹部１２１にちょうど位置する。
【００３７】
該外枠フレーム２０を下方へと移動させると、該サポート補正機構３０は、該外枠フレーム２０のサポートプル棒２５と枢接して結合されているため、該サポート補正機構３０のバネ台３１、第一連棒３３１、第二連棒３３２、第三連棒３３３及び第四連棒３３４は、該外枠フレーム２０に従い、同時に下方へと移動し、同時にメインサポートバネ２２及びサブサポートバネ３２を引き伸ばす。
【００３８】
該サポート補正機構３０に設置される第一ローラー３４１と第二ローラー３４２は、該内枠フレーム１０の第一カム板１２Ａと第二カム板１２Ｂにおいてそれぞれ上下へとローラー移動し（図４、５参照）、これにより該外枠フレーム２０は無段階式で下方へと移動する。
【００３９】
該外枠フレーム２０を予定高度まで移動させると、該メインサポートバネ２２と該サブサポートバネ３２が力を受けて伸ばされて生じる反作用力により、該外枠フレーム２０は任意の位置で停止し下方へと移動しない。
【００４０】
こうして、該外枠フレーム２０と表示デバイスとは、無段階式で任意に任意の位置に停止できる。
【００４１】
図６、７に示すように、該外枠フレーム２０が下方へと最低位置まで移動すると、該サポート補正機構３０の第一ローラー３４１と第二ローラー３４２とは、該第一カム板１２Ａ、該第二カム板１２Ｂ下側の凹部１２２にスライドして入る。
【００４２】
これにより、該第一ローラー３４１と該第二ローラー３４２とは、定位して固定され、該外枠フレーム２０は力を受けても下方へと移動することはない。
【００４３】
該外枠フレーム２０が上方へと移動すると、該サポート補正機構３０のバネ台３１、第一連棒３３１、第二連棒３３２、第三連棒３３３及び第四連棒３３４は、該外枠フレーム２０に従い、同時に上方へと移動する。
【００４４】
該サポート補正機構３０に設置される第一ローラー３４１と第二ローラー３４２とは、該内枠フレーム１０の第一カム板１２Ａと第二カム板１２Ｂにおいて、それぞれ上方へとローラー移動し、これにより該外枠フレーム２０は無段階式で上方へと移動する。
【００４５】
該外枠フレーム２０を予定高度まで移動させると、該メインサポートバネ２２と該サブサポートバネ３２が力を受けて伸ばされて生じる反発作用力により、該外枠フレーム２０は任意の位置で停止し、上方へと移動しない。
【００４６】
こうして、該外枠フレーム２０と表示デバイスとは、無段階式で任意の位置で停止可能となる。
【００４７】
該外枠フレーム２０が上方へと最高位置まで移動すると、該サポート補正機構３０の第一ローラー３４１と第二ローラー３４２は、該第一カム板１２Ａ、該第二カム板１２Ｂ上側の凹部１２１にそれぞれ滑り入る。
【００４８】
これにより、該第一ローラー３３１と該第二ローラー３３２とは定位して固定され、該外枠フレーム２０は力を受けても上方へと移動しない（図３参照）。
【００４９】
該サポート補正機構３０の第一連棒３３１、第二連棒３３２、第三連棒３３３及び第四連棒３３４は、力を受けて下方へと（或いは上方へと）移動し、該サブサポートバネ３２が引力を生じると、該引力は、水平作用力を形成し、それを第一ローラー３４１、第二ローラー３４２上に加え、該水平作用力は、転換されて垂直作用力を形成する。
【００５０】
これにより、該垂直作用力は、該メインサポートバネ２２と該外枠フレーム２０及び搭載される表示デバイスに力の平衡状態を形成し、該外枠フレーム２０と表示デバイス無段階式に任意の位置で停止が可能となる。
【００５１】
さらに、該内枠フレーム１０に設置される第一カム板１２Ａと第二カム板１２Ｂとは、曲線状を呈し、しかも曲面連続性を備える。
【００５２】
該第一ローラー３４１と該第二ローラー３４２とが、第一カム板１２Ａと第二カム板１２Ｂ上でローラー移動すると、該第一連棒３３１、第二連棒３３２、第三連棒３３３、第四連棒３３４は同時にその挟角を変え、該第一連棒３３１、該第二連棒３３２、該第三連棒３３３、該第四連棒３３４が第一ローラー３４１、第二ローラー３４２に加える水平作用力と垂直作用力を変える。
【００５３】
こうして、該メインサポートバネ２２が生じる作用力に対応し、外枠フレーム２０、サポート補正機構３０と表示デバイスとは任意の位置に、力平衡状態を形成し、無段階式に任意に任意の位置に停止が可能となる。
【００５４】
以上を総合すると、本考案は以下の長所を有する。
（一）  本考案はサポート補正機構３０の四連棒平行リンクユニットを利用し、第一ローラー３４１と第二ローラー３４２を枢接し、該第一ローラー３４１、該第二ローラー３４２は、第一カム板１２Ａ、第二カム板１２Ｂ上でスライド移動し、該四連棒平行リンクユニットと該第一ローラー３４１と該第二ローラー３４２は無段階昇降移動が可能となり、こうして外枠フレーム２０と表示デバイス（図示なし）とは、予定高度まで無段階式に上下移動が可能で、本考案の操作の利便性を高めることができる。
【００５５】
（二）  本考案は内枠フレーム１０内に第一カム板１２Ａと第二カム板１２Ｂを設置し、
第一カム板１２Ａと第二カム板１２Ｂとの間にサポート補正機構３０を設置し、これによりサポート補正機構３０の第一ローラー３４１、第二ローラー３４２は、第一カム板１２Ａ、第二カム板１２Ｂ上でローラー移動し、こうして本考案設置フレームの厚みと体積を減らすことができるため、本考案は壁面に枢接し、或いは脚フレーム上に枢接して使用でき、しかも一人で組み立てが行えるため、高い実用性と組み立ての利便性及び簡易性を備える。
【００５６】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００５７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５８】
１０  内枠フレーム
１１  枠柱
１２Ａ  第一カム板
１２Ｂ  第二カム板
１２１  凹部
１２２  凹部
１２３  凸部
１３  定位溝
１４  スライドレールキャスター
２０  外枠フレーム
２１  枠柱
２２  メインサポートバネ
２３  スライドレールキャスター
２４  定位溝
２５  サポートプル棒
３０  サポート補正機
３１  バネ台
３２  サブサポートバネ
３３１  第一連棒
３３２  第二連棒
３３３  第三連棒
３３４  第四連棒
３４１  第一ローラー
３４２  第二ローラー
【図１】
0003207712.tif 000003
【図２】
0003207712.tif 000004
【図３】
0003207712.tif 000005
【図４】
0003207712.tif 000006
【図５】
0003207712.tif 000007
【図６】
0003207712.tif 000008
【図７】
0003207712.tif 000009